(57)【要約】  本発明は、ファブリックに関する。ファブリック（１０）は、ファブリック材料において、電気を良好に伝える材料の糸（１１ａ１，１２ａ１と１３ａ１，１４ａ１）を備え、糸によって、電磁放射と磁場とがフィルタリングされる。糸（１１ａ１，１２ａ１と１３ａ１，１４ａ１）が、互いに隣り合って配置されている。さらに、第１糸（１１ａ１，１３ａ１）がファブリックで時計回りに巻回され、第１糸（１１ａ１，１３ａ１）の隣の第２糸（１２ａ１，１４ａ１）が反時計回りに巻回されるように、糸が、それらの巻回軸（Ｘ１，Ｘ２とＹ１，Ｙ２）を中心に巻回されている。
2021505783.tif 000002
【特許請求の範囲】
【請求項１】
ファブリック材料中に、電気を良好に伝える複数の導電性の糸（１１ａ１，１２ａ１と１３ａ１，１４ａ１）を備え、前記糸によって、電磁放射と磁場がフィルタリングされるファブリック（１０）において、
前記糸（１１ａ１，１２ａ１と１３ａ１，１４ａ１）は互いに隣り合って配置され、かつ、前記ファブリックにおいて、第１糸（１１ａ１，１３ａ１）が時計回りに巻回され、前記第１糸（１１ａ１，１３ａ１）の隣にある第２糸（１２ａ１，１４ａ１）が反時計回りに巻回されるように、前記糸（１１ａ１，１２ａ１と１３ａ１，１４ａ１）がそれぞれの巻回軸（Ｘ１，Ｘ２とＹ１，Ｙ２）を中心に巻回されていること、及び前記糸が電気を良好に伝える材料を備えること、を特徴とするファブリック（１０）。
【請求項２】
前記第１糸（１１ａ１，１３ａ１）及び前記第２糸（１２ａ１，１４ａ１）の前記巻回軸（Ｘ１，Ｙ１とＸ２，Ｙ２）は、平行で、かつ、互いから距離（Ｄ１）離れており、前記距離（Ｄ１）は０．５ｍｍから５０ｍｍであることを特徴とする、請求項１に記載のファブリック（１０）。
【請求項３】
前記第１糸（１１ａ１）が波状に通されていること、前記第１糸（１１ａ１）が閉ループ又は開ループとして通されていること、及び隣り合った糸（１１ａ１，１２ａ１）が反対方向に巻回されるように、つまり、一方は前記巻回軸（Ｘ１）に関して時計回りに巻回され、他方は前記巻回軸（Ｘ２）に関して反時計回りに巻回されるように、前記第１糸（１１ａ１）の隣の前記第２糸（１２ａ１）も波状に閉又は開ループとして通されていること、を特徴とする、請求項１又は２に記載のファブリック（１０）。
【請求項４】
前記ファブリック（１０）が、垂直な糸（１１ａ１，１２ａ１）に接して、又はその近傍で、水平に走る糸（１３ａ１，１４ａ１）を備えること、及びこれらの糸（１１ａ１，１２ａ１と１３ａ１，１４ａ１）がグリッド（Ｇ１，Ｇ２，Ｇ３…）を形成すること、を特徴とする、請求項１から３のいずれか１つに記載のファブリック（１０）。
【請求項５】
第３糸（１３ａ１）が時計回りに巻回され、第４糸（１４ａ１）が反時計回りに巻回されるように、前記第３及び第４糸（１３ａ１，１４ａ１）も隣同士で配置されていること、及び時計回りに巻回された前記糸（１３ａ１）の隣に、反時計回りに巻回された前記糸（１４ａ１）があること、を特徴とする、請求項４に記載のファブリック（１０）。
【請求項６】
水平の巻回軸（Ｙ１）及び（Ｙ２）の間の距離（Ｄ１）が、０．５ｍｍから５０ｍｍであることを特徴とする、請求項５に記載のファブリック（１０）。
【請求項７】
前記糸（１１ａ１，１２ａ１と１３ａ１，１４ａ１）によって形成されている前記グリッド（Ｇ１，Ｇ２，Ｇ３…）が、前記ファブリック（１０）の表面又は中央部に位置することを特徴とする、請求項４から６のいずれか１つに記載のファブリック（１０）。
【請求項８】
前記垂直な糸（１１ａ１，１２ａ１）が、前記ファブリックの一方の表面に位置していること、及び前記水平に走る糸（１３ａ１，１４ａ１）が、前記ファブリック（１０）の他方の表面に位置していること、を特徴とする、請求項４から７のいずれか１つに記載のファブリック（１０）。
【請求項９】
前記ファブリック（１０）が、前記導電性の糸（１１ａ１，１２ａ１と１３ａ１，１４ａ１）に接続されている接地ワイヤ（１５ａ１，１５ａ２，…）を備えることを特徴とする、請求項１から８のいずれか１つに記載のファブリック（１０）。
【請求項１０】
前記導電性の糸が、銅（Ｃｕ）、銀（Ａｇ）、又はグラファイト（Ｃ）、又は他の電気を伝える材料を備えることを特徴とする、請求項１から９のいずれか１つに記載のファブリック（１０）。
【請求項１１】
前記ファブリック（１０）が、テクスチャ、編み物ファブリック、ベッドシーツ、衣類、又は糸から成る壁紙であることを特徴とする、請求項１から１０のいずれか１つに記載のファブリック（１０）。
【請求項１２】
前記導電性の糸（１１ａ１と１２ａ１と１３ａ１と１４ａ１）が、少なくとも１本の電気を良好に伝える導電性材料のストランド（ｃ１）と、少なくとも１本の電気を良好に伝える材料からなるものではないサポート用ストランド（ｂ１，ｂ２）から成ること、及び前記導電性材料のストランド（ｃ１）と前記サポート用ストランド（ｂ１，ｂ２）とが、同じ糸において同じ巻回方向に巻回されていること、を特徴とする、請求項１から１１のいずれか１つに記載のファブリック（１０）。
【請求項１３】
導電性のストランド（ｃ１）の断面形状が、有利には円形であることを特徴とする、請求項１から１２のいずれか１つに記載のファブリック（１０）。
【請求項１４】
前記糸（１１ａ１，１２ａ１，１３ａ１，１４ａ１）が、少なくとも１本の電気を良好に伝える材料のストランド（ｃ１）から成ることを特徴とする、請求項１に記載のファブリック（１０）。
【発明の詳細な説明】
【技術分野】
【０００１】
本発明は、ファブリックに関する。
【背景技術】
【０００２】
電気と熱を良好に伝える材料から成る別体のネットワーク構造を利用するファブリック構造が、発明者の以前のフィンランド実用新案Ｕ２０１０００２３から既知である。そのネットワークによって、電磁放射（electromagnetic radiation）がファブリックを通過することが防がれる。ネットワークでの糸の間の距離によって、ファブリックのネットワーク構造を通過することができない電磁放射の波長が決定される。ネットワークは、フィルタとして作用する。
【発明の概要】
【０００３】
発明者によるこの新しい出願では、ファブリックは、導電性の巻回された、すなわち撚られた糸から成るネットワークを備え、前記ファブリックが衣類の場合、前記ネットワークは、電磁放射と磁石によって生じた磁場とが、ファブリックを通過し衣料品の使用者に届くことを防止する。このように、電磁放射及び磁石によって生じた磁場に対する人の保護が達成される。従って、例えば、グラファイトの糸で形成されるファブリックの巻回ネットワーク構造（wound network structure）は、ある波長よりも高い電磁放射がベッドシーツなどのファブリックを通過し睡眠中の人に届くことを防ぐ、電磁放射のフィルタとして作用する。巻回ネットワークによって、磁石の磁場が、衣類などのファブリックを通過し、そのファブリックを使用している人に届くことも防がれる。
【０００４】
前記ネットワークの糸材料は、熱も良好に伝え、そのため前記ネットワークによって、ベッドシーツの場合は、心地良い夜の睡眠を得るように、睡眠中の人の体温がシーツ内で快適に低いままであることが促進される。
【０００５】
電磁放射は、導電性の糸で熱に変換され、ファブリックの温度は数度上昇する。健康着（health clothing）が、そのファブリックから製造されてもよい。その衣類を使用している人は、身に着けている衣服の枚数を少なくしても暖かく過ごす。
【０００６】
ネットワークの糸の間の距離、すなわちグリッド距離Ｄ１は、０．５ｍｍから５０ｍｍであってもよい。それらの糸は、電気を良好に伝える材料から成る。それらの糸は、例えば、グラファイト、銀、又は銅であってもよい。グリッド距離Ｄ１の選択によって、ネットワークを通過できない波長の範囲が定められる。
【０００７】
磁場に長時間留まることによって、健康上の危険性が引き起こされる。裸電線、送電線、電気装置は、生物学上の損傷を引き起こすかもしれない電磁場を発生させる。さらに、一部の人は電気に対して過敏であり、そのような人々は、たとえ大変低い値の場にさらされているときであっても、様々な症状が生じる。
【０００８】
本明細書では、新しいタイプのファブリック、テクスチャ、編み物製品、又はこれらと同様のものが形成されている。本発明では、電磁場のフィルタリングがさらに向上されている。本発明では、電磁場及び磁石によって発生した磁場は、人の内側から発生したものも、外側から人に向かって来るものも、失われる。このことは、電気を良好に伝える材料から成る経糸又は緯糸をファブリックに用いることで起こる。当該糸はファブリックの基礎材料の部分であり、そのため当該糸は、ファブリック又は織物ファブリックの構造部分、例えばテクスチャ構造、フィラメント構造の部分である。
【０００９】
電気を良好に伝える糸は、１本以上のストランドから形成されてもよく、１本のストランドは電気を良好に伝える材料から成り、一方で他のストランドは、電気を良好に伝えるストランドと同じ方向に巻回されたサポート用ストランド（support strands）である。
【００１０】
電気を良好に伝える当該糸が巻回され、巻線状に撚られている又は紡がれている。第１糸は、巻回軸Ｘ１を中心に時計回りに巻回され、第１糸の隣の導電性の材料から成る第２糸は、巻回軸Ｘ２を中心に反時計回りに巻回されている。電気を良好に伝える材料から成る第２巻回糸も巻線状に巻回され、当該第１糸から距離Ｄ１の位置に配置されている。従って、隣り合った導電性の糸は巻回軸Ｘ１及びＸ２を中心に異なる方向、すなわち一方は時計回りで、他方は反時計回りで巻線状に巻回されている。
【００１１】
従って、第１糸は時計回りに巻回されており、第２糸は反時計回りに巻回されている。
【００１２】
巻回軸Ｘ１及びＸ２は互いに平行である。それぞれの糸は、電気を良好に伝える材料から成る少なくとも１本のストランドから成る。有利には、その糸は、当該ストランドに加え、電気を伝えるストランドと同じ巻回方向で巻回されている１本以上のサポート用ストランドを備える。これらのサポート用ストランドは、糸構造と電気を伝えるストランドとを補助する。外側から人へと向かう電磁場及び／又は磁場が消失し、筋緊張により発生する人自身からの電磁場が消失する。従って、ファブリックは、全ての磁性放射（magnetic radiation）に対する効果的な保護を提供する。
【００１３】
この配置で行われることは、内側及び外側からの電磁放射が巻線に電流を発生させ、さらにその電流が、巻回された巻線に、互いの糸の隣接するストランドで消失する電磁場を生じさせることである。筋肉等、人自身の身体の電磁場は消失し、かつ外側から人に向かう電磁場及び磁場は消失する。本発明に係るファブリックから成る衣類を身に着けている人、又は本発明に係るファブリックから成るベッドシーツ又は編み物製品を使用している人は、電磁放射及び磁性放射に対する好適な包括的保護を得る。人がいる場所では、電磁放射及び磁場がない空間が実現される。
【００１４】
前記ファブリックの導電性の糸では、電磁放射は電流に変換され、さらには熱に変換される。温度上昇がファブリックで起きるので、そのファブリックは温熱衣服（thermal clothing）に用いられてよい。それ故、上述の現象はファブリックの使用に利用されてもよい。
【００１５】
巻回された糸は、第２糸で時計回りに、かつ導電性のストランドと同じ方向に巻回されている１本又は複数のサポート用ストランドを備えてもよい。これらのサポート用ストランドは、螺旋状構造のサポートフレーム（support frame）として作用する。第２糸では、サポート構造（support structure）は同じだが、巻回方向は反時計回りである。サポート用ストランドは導電性ではない。有利には、サポート用ストランドは２つ、３つ、４つ、又はそれ以上であり、それぞれの糸において、有利には１本の導電性のストランドがある。
【００１６】
１つおきに糸が時計回りに巻回され、かつ１つおきに糸が反時計回りに巻回されるように、隣り合った糸のラインは繰り返される。このことによって、ネットワーク構造が、ファブリックの全長及び全幅での電磁放射に対する保護を提供するという結果になる。その糸における導電性のストランドの断面は有利には円形であり、その糸における導電性ストランドの長さの単位当たりの巻回回数によって、フィルタリングの効果を調節することが可能である。
【００１７】
それらの糸は、巻回軸Ｘ１及びＸ２に関して横方向に配置されていてもよく、それによって９０°回転した振動面に関しても保護が得られる。このように走る糸の配置は、Ｘ１及びＸ２方向の糸の配置と同じである。隣り合った糸は、時計回りと反時計回りの方向で交互に巻回されている。巻回軸Ｘ１，Ｘ２及びＸ３，Ｘ４の間の距離Ｄ１は、０．５ｍｍから５０ｍｍの範囲である。それらの糸によって結合されたグリッドＧ１，Ｇ２，Ｇ３…Ｇｎが得られ、電磁放射に対する効果的な保護が得られる。
【００１８】
当該第３及び第４の導電性の糸それぞれが、第１及び第２糸と同様に、電気を良好に伝える材料から成るストランドを備える。そのストランドは、例えば銀、グラファイト、又は銅であってもよく、あるいは他の導電性の材料から成っていてもよい。それらのストランドが、ファブリック又は編み物製品の異なる面に配置されているとき、それらのストランドは、交差点で互いに接触しない。
【００１９】
それらのストランドは、ネットワークとして、ファブリックのどちらかの面に配置されていてもよい。従って、このことによって、横方向に走る糸がファブリックの同じ面に配置され、ネットワークの糸の交差点で第１及び第２糸と接触するという実施形態が可能になる。
【００２０】
このように、本発明のファブリック構造によって、電磁放射と磁石によって生じた磁場とが、フィルタリングされ、失われる。
【００２１】
本発明に係るファブリック、テクスチャ、又は編み物製品は、特許請求の範囲で開示されていることによって特徴付けられている。
【００２２】
以下で、本発明は、図面の好ましい実施形態への言及によって説明されるが、本発明はそれらの実施形態に専ら制限されることを意味しない。
【図面の簡単な説明】
【００２３】
【図１Ａ】本発明に係るファブリックの平面図。
【図１Ｂ】各糸が接地電線を備える点を除き、図１Ａの解決方法を示す図。
【図２Ａ】どのようにして導電性の糸がループ状でファブリック構造に通されるかの好ましい実施形態を示す図。
【図２Ｂ】糸の経路が閉状態ではない点を除き、図２Ａの解決方法を示す図。
【図２Ｃ】ループが接地していることも備える、図２Ｂの解決方法を示す図。
【図３】Ｘ方向に対して横にＹ方向で糸を配置し、それらの糸が長方形又は正方形の領域を画定していることを示す図。
【図４】ファブリックの一方の面にＹ方向で糸を配置し、前記ファブリックの他方の面にＸ方向で糸を配置していることを説明する図。
【図５】Ｘ方向とＹ方向の糸が互いに交差していることを示す図。
【図６】どのようにして導電性のストランドが、同じ方向に巻回された非伝導性のサポート用ストランドによって、補助されているかを示す図。
【発明を実施するための形態】
【００２４】
図１Ａは本発明に係るファブリック１０の略図である。ファブリック１０は、編み物製品又は織物であってもよい。
【００２５】
ファブリックは、隣り合った平行な導電性の糸１１ａ１，１２ａ１と１１ａ２，１２ａ２と１１ａ３，１２ａ３と…とを備える。
【００２６】
糸１１ａ１及び１２ａ１は、対向する方向Ｓ１及びＳ２で巻線状に巻回されている。糸１１ａ１の巻回軸Ｘ１を中心とした巻回方向Ｓ１は時計回りで、糸１２ａ１の巻回軸Ｘ２を中心とした巻回方向Ｓ２は反時計回りである。
【００２７】
前記ファブリック、編み物製品、又はこれらと類似のものは、人の肌から近い位置にある必要がある。前記ファブリックは、スポーツウェア、ベッドシーツ、又はナイトガウンなどの衣類であってもよい。人の筋緊張により生じる磁場は、それらの糸の巻線で消失する。同様に、外側からの電磁放射場及び磁石の磁場も消失する。磁場はそれらの糸に電流を発生させ、その電流はさらに、隣り合った糸に逆方向の電流の流れを発生させ、さらに互いに消し合う電磁場をさらに発生させる。本発明によると、ファブリック１０は、巻線状に巻回された糸１１ａ１，１２ａ１と１１ａ２，１１ａ２と…から成り、かつ、経糸１４又は類似のものから織る又は編むことによって形成され、並びに有利には織機又は編機によって自動的に形成される。その巻線では、導電性ストランドｃ１の長さの単位当たりの巻回回数によって、フィルタリングの効果は調節される。図１Ａで示されている通り、それらの糸はファブリック全体の領域に延在し、図１Ａの通り、底部から頂部へと、すなわちファブリックの下端から上端へと延びている。それぞれの糸は、ファブリックの底端から始まり、頂端で終わる。巻回軸Ｘ１及びＸ２は、互いに距離Ｄ１離れている。それらの軸Ｘ１とＸ２は平行で、有利には直線である。
【００２８】
本出願では、ファブリック１０は、ブラウス、ベッドシーツなどの編機で編まれた衣類などの編まれたファブリックを指すと解される。壁紙を指すと解することも可能である。
【００２９】
図１Ｂの解決方法は、各糸１１ａ１，１２ａ１，１１ａ２，１２ａ２，１１ａ３，１２ａ３，…が、接地線１５ａ１，１５ａ２，…を備えるという点以外で、図１Ａの解決方法と一致する。接地によって、場をフィルタリングする点で大幅な改良が提供されるが、このことは必須ではない。
【００３０】
図２Ａは本発明の一実施形態であり、ここで糸１１ａ１はループ状で波状に通されており、同様に糸１２ａ１もループ状で波状に通されている。それらの糸は、糸１１ａ１の隣には糸１２ａ１が常にあるように、別の言い方をすると、時計回りに巻回された糸１１ａ１の隣には反時計回りに巻回された糸１２ａ１が常にあるように、互いに関して配置されているように、開ループとして通されている。
【００３１】
導電性の線１１ａ１，１２ａ１が閉ループであることを除いて、図２Ｂは図２Ａの解決方法を示す。
【００３２】
図２Ｃでは、図２Ｂの実施形態の糸及び閉ループ１１ａ１及び１２ａ１が、ワイヤによって、又は一般に導電性の糸１５ａ１，１５ａ２によって接地されている。
【００３３】
図３は本発明の一実施形態を示し、ここでは、垂直な糸１１ａ１，１２ａ１に加えて、図１Ａの糸１１ａ１，１２ａ１と同じ原理に従い配置及び巻回されている水平な糸１３ａ１，１４ａ１もある。
【００３４】
糸１３ａ１が水平の巻回軸Ｙ１を中心に時計回りに巻回され、糸１４ａ１が巻回軸Ｙ２を中心に反時計回りに巻回されるように、糸１３ａ１，１４ａ１は巻回されている。軸Ｙ１及びＹ２は互いに対して平行で水平な直線状の軸である。それらの軸の間の距離はＤ１である。従って、巻回によって、糸１３ａ１，１４ａ１は巻線状に形成されている。それらの糸が発生させる磁場は、互いに消し合い、９０°回転させられた放射に影響を及ぼす。このように、異なる平面の電磁放射が、その解決方法によって効果的に失われる。この解決方法でも、時計回りに巻回された糸が反時計回りに巻回された糸の隣にあるように、電気を良好に伝える材料の糸１３ａ１，１４ａ１が、互いに関連して配置される。
【００３５】
図４は図３の解決方法を図示する。糸１１ａ１，１２ａ１と１３ａ１，１４ａ１がファブリックの表面に位置し、本実施形態では、面Ｔ１上で、交差点で互いに接触している。このネットワークが、ファブリックに取り付けられている。前記ネットワークは、ファブリックの経糸及び緯糸構造の部分である。前記ネットワークは、グリッドＧ１，Ｇ２，Ｇ３，…を形成する。
【００３６】
図５では、糸１３ａ１，１４ａ１がファブリック構造の面Ｔ２に位置しており、糸１１ａ１，１２ａ１で形成された構造は、ファブリック構造の反対面Ｔ１に位置している。平面のファブリックが、その平面Ｅの法線方向に検査されたときに、それらの糸は共にネットワーク構造を形成する。
【００３７】
図６は、糸１１ａ１が、電気を良好に伝える材料から巻回された少なくとも１本のストランドｃ１と、同じ巻回方向で巻回され、かつ電気を伝えない材料から成るサポート用ストランドｂ１，ｂ２とを備えるように形成されている解決方法を示す。サポート用ストランドｂ１，ｂ２の目的は、糸構造を補助することである。サポート用ストランドｂ１，ｂ２は温度を制御してもよく、すなわち、これらの糸は熱制限繊維（thermally limiting fibres）であってもよい。例えば、そのサポート用ストランドはポリエステル繊維であってもよい。サポート用ストランドの構造に複数の溝（channel）があってもよい。
【００３８】
ストランドｃ１，ｂ１，ｂ２は、同じ方向に相互に巻回されており、本図の実施形態では時計回りに巻回されている。
【００３９】
ストランド１２ａ１では、構造が類似している。ストランド１２ａ１も、電気を良好に伝える材料から成るストランドｃ１と、電気を伝えない材料からなるサポート用ストランドｂ１，ｂ２とを備える。これらのストランドは同じ方向に相互に巻回されており、図６の実施形態では反時計回りに巻回されている。隣り合った糸１１ａ１，１２ａ１は相互に異なる巻回方向を備える。一方の糸１１ａ１は時計回りに巻回されており、他方の糸１２ａ１は反時計回りに巻回されている。
【００４０】
一実施形態では、糸１１ａ１，１２ａ１，１３ａ１，１４ａ１は、電気を良好に伝える材料から成るたった１本のストランドｃ１で形成されていてもよく、この実施形態では、サポート用ストランドはない。
【００４１】
それらの糸の電気を伝えるストランドｃ１及びサポート用ストランドｂ１，ｂ２の断面は、有利には円形である。前記断面は、ストランドの縦方向の中心軸に沿って垂直である。糸１１ａ１，１２ａ１，１３ａ１，１４ａ１の断面の寸法は、３ｍｍ未満であり、有利には１ｍｍ未満である。
【００４２】
他の断面の形成も可能である。当業者は、技術の進歩によって、本発明の基本的な考えが多くの異なる方法で実施されるかもしれないことは明らかであると分かるだろう。従って、本発明と本実施形態は、上記で説明された例に制限されることなく、特許請求の範囲内で変わってもよい。
【図１Ａ】
2021505783.tif 000003
【図１Ｂ】
2021505783.tif 000004
【図２Ａ】
2021505783.tif 000005
【図２Ｂ】
2021505783.tif 000006
【図２Ｃ】
2021505783.tif 000007
【図３】
2021505783.tif 000008
【図４】
2021505783.tif 000009
【図５】
2021505783.tif 000010
【図６】
2021505783.tif 000011
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
ファブリック材料中に、電気を良好に伝える複数の導電性の糸（１１ａ１，１２ａ１と１３ａ１，１４ａ１）を備え、前記糸によって、電磁放射と磁場がフィルタリングされるファブリック（１０）において、
前記糸（１１ａ１，１２ａ１と１３ａ１，１４ａ１）は互いに隣り合って配置され、かつ、前記ファブリックにおいて、第１糸（１１ａ１，１３ａ１）が、第１巻回軸（Ｘ１）を中心に時計回りに巻回され、それによって第１巻線を形成し、前記第１糸（１１ａ１，１３ａ１）の隣にある第２糸（１２ａ１，１４ａ１）が、第２巻回軸（Ｘ２）を中心に反時計回りに巻回され、それによって第２巻線を形成するように、前記糸（１１ａ１，１２ａ１と１３ａ１，１４ａ１）がそれぞれの巻回軸（Ｘ１，Ｘ２とＹ１，Ｙ２）を中心に巻回され、それによって、前記第１巻線と前記第２巻線とが磁場を失わせ、かつ、前記第１巻回軸（Ｘ１）が前記第２巻回軸（Ｘ２）から距離（Ｄ１）の位置にあること、及び前記糸が電気を良好に伝える材料を備えること、を特徴とするファブリック（１０）。
【請求項２】
前記第１糸（１１ａ１，１３ａ１）及び前記第２糸（１２ａ１，１４ａ１）の前記巻回軸（Ｘ１，Ｙ１とＸ２，Ｙ２）は、平行で、かつ、互いから距離（Ｄ１）離れており、前記距離（Ｄ１）は０．５ｍｍから５０ｍｍであることを特徴とする、請求項１に記載のファブリック（１０）。
【請求項３】
前記第１糸（１１ａ１）が波状に通されていること、前記第１糸（１１ａ１）が閉ループ又は開ループとして通されていること、及び隣り合った糸（１１ａ１，１２ａ１）が反対方向に巻回されるように、つまり、一方は前記巻回軸（Ｘ１）に関して時計回りに巻回され、他方は前記巻回軸（Ｘ２）に関して反時計回りに巻回されるように、前記第１糸（１１ａ１）の隣の前記第２糸（１２ａ１）も波状に閉又は開ループとして通されていること、を特徴とする、請求項１又は２に記載のファブリック（１０）。
【請求項４】
前記ファブリック（１０）が、垂直な糸（１１ａ１，１２ａ１）に接して、又はその近傍で、水平に走る糸（１３ａ１，１４ａ１）を備えること、及びこれらの糸（１１ａ１，１２ａ１と１３ａ１，１４ａ１）がグリッド（Ｇ１，Ｇ２，Ｇ３…）を形成すること、を特徴とする、請求項１から３のいずれか１つに記載のファブリック（１０）。
【請求項５】
第３糸（１３ａ１）が時計回りに巻回され、第４糸（１４ａ１）が反時計回りに巻回されるように、前記第３及び第４糸（１３ａ１，１４ａ１）も隣同士で配置されていること、及び時計回りに巻回された前記糸（１３ａ１）の隣に、反時計回りに巻回された前記糸（１４ａ１）があること、を特徴とする、請求項４に記載のファブリック（１０）。
【請求項６】
水平の巻回軸（Ｙ１）及び（Ｙ２）の間の距離（Ｄ１）が、０．５ｍｍから５０ｍｍであることを特徴とする、請求項５に記載のファブリック（１０）。
【請求項７】
前記糸（１１ａ１，１２ａ１と１３ａ１，１４ａ１）によって形成されている前記グリッド（Ｇ１，Ｇ２，Ｇ３…）が、前記ファブリック（１０）の表面又は中央部に位置することを特徴とする、請求項４から６のいずれか１つに記載のファブリック（１０）。
【請求項８】
前記垂直な糸（１１ａ１，１２ａ１）が、前記ファブリックの一方の表面に位置していること、及び前記水平に走る糸（１３ａ１，１４ａ１）が、前記ファブリック（１０）の他方の表面に位置していること、を特徴とする、請求項４から７のいずれか１つに記載のファブリック（１０）。
【請求項９】
前記ファブリック（１０）が、前記導電性の糸（１１ａ１，１２ａ１と１３ａ１，１４ａ１）に接続されている接地ワイヤ（１５ａ１，１５ａ２，…）を備えることを特徴とする、請求項１から８のいずれか１つに記載のファブリック（１０）。
【請求項１０】
前記導電性の糸が、銅（Ｃｕ）、銀（Ａｇ）、又はグラファイト（Ｃ）、又は他の電気を伝える材料を備えることを特徴とする、請求項１から９のいずれか１つに記載のファブリック（１０）。
【請求項１１】
前記ファブリック（１０）が、テクスチャ、編み物ファブリック、ベッドシーツ、衣類、又は糸から成る壁紙であることを特徴とする、請求項１から１０のいずれか１つに記載のファブリック（１０）。
【請求項１２】
前記導電性の糸（１１ａ１と１２ａ１と１３ａ１と１４ａ１）が、少なくとも１本の電気を良好に伝える導電性材料のストランド（ｃ１）と、少なくとも１本の電気を良好に伝える材料からなるものではないサポート用ストランド（ｂ１，ｂ２）から成ること、及び前記導電性材料のストランド（ｃ１）と前記サポート用ストランド（ｂ１，ｂ２）とが、同じ糸において同じ巻回方向に巻回されていること、を特徴とする、請求項１から１１のいずれか１つに記載のファブリック（１０）。
【請求項１３】
導電性のストランド（ｃ１）の断面形状が、有利には円形であることを特徴とする、請求項１から１２のいずれか１つに記載のファブリック（１０）。
【請求項１４】
前記糸（１１ａ１，１２ａ１，１３ａ１，１４ａ１）が、少なくとも１本の電気を良好に伝える材料のストランド（ｃ１）から成ることを特徴とする、請求項１に記載のファブリック（１０）。
【国際調査報告】
2021505783.tif 000012
2021505783.tif 000013
2021505783.tif 000014
2021505783.tif 000015